(57)【特許請求の範囲】
【請求項１】
可動建具を備えた木製間仕切りに存在する隙間に気密部材を設けるようにした木製間仕切りの気密構造において、前記気密部材を、平帯状の固着部と、該固着部の一端側から隙間に向けて延設される、端部を自由端とした可撓性を有する湾曲した当接部とを備えて構成し、気密部材の平帯状の固着部が、前記木製の可動建具同士が重なり合っている部分の両方の対向する面に形成された溝であって、前記隙間に対して平行に前記平帯状の固着部が収まる形状の位置決め溝に、それぞれ収容、貼り付けられて、気密部材の湾曲した当接部の外面同士が当接するようにしたことを特徴とする木製間仕切りの気密構造。
【発明の詳細な説明】
【技術分野】
【０００１】
本発明は、木製間仕切りの気密構造に関し、特に、可動建具を備えた木製間仕切りに存在する隙間に気密部材を設けることにより気密性を高めることができるようにした木製間仕切りの気密構造の改良に関するものである。
【背景技術】
【０００２】
従来、学校用等の間仕切りでは、木質材を用いて室内全体に暖かみを醸し出す、外観木質の間仕切りパネルが広く採用されている（例えば、特許文献１〜２参照）。
【０００３】
ところで、間仕切りパネルの枠材や建具（特に、可動建具である引戸扉やガラス障子）に木材を用いた木製間仕切りの場合、可動建具と枠材との間に隙間が生じやすく、室内の気密性を高めることが困難で室内の冷暖房の効果が低く、冬期に廊下側から居室内にすきま風が入り込む等、室内環境に問題が生じることがあり、また、可動建具と枠材との間に生じる隙間によって遮音性が低下し、学校用の間仕切りでは教室での就学環境が悪化するという問題があった。
【０００４】
そのため、木製間仕切りに存在する隙間（引戸扉等の可動建具と木製の枠部材との間に生じる隙間）に気密部材を設け、室内の気密性の向上を図るようにしている。
ところで、木製の可動建具や可動建具の木製の枠部材に気密部材を取り付ける場合、通常、取付位置に罫書きを行った後に気密部材を取り付けるようにしているが、気密部材は軟質材であるため罫書き通りに取り付けることが困難であり取付精度が低くなるとともに、取り付け作業も繁雑なものとなる。
そして、気密部材の取付位置の僅かなズレによって、気密性は著しく低下するという問題があった。
【先行技術文献】
【特許文献】
【０００５】
【特許文献１】特開２０００−３０３５９４号公報
【特許文献２】特開２０００−３２０１５８号公報
【発明の概要】
【発明が解決しようとする課題】
【０００６】
本発明は、上記従来の木製間仕切りの気密構造の有する問題点に鑑み、可動建具を有する木製間仕切りの気密性を向上することができる木製間仕切りの気密構造を提供することを目的とする。
【課題を解決するための手段】
【０００７】
上記目的を達成するため、本発明の木製間仕切りの気密構造は、可動建具を備えた木製間仕切りに存在する隙間に気密部材を設けるようにした木製間仕切りの気密構造において、前記気密部材を、平帯状の固着部と、該固着部の一端側から隙間に向けて延設される、端部を自由端とした可撓性を有する湾曲した当接部とを備えて構成し、気密部材の平帯状の固着部が、前記木製の可動建具同士が重なり合っている部分の両方の対向する面に形成された溝であって、前記隙間に対して平行に前記平帯状の固着部が収まる形状の位置決め溝に、それぞれ収容、貼り付けられて、気密部材の湾曲した当接部の外面同士が当接するようにしたことを特徴とする。
【発明の効果】
【０００８】
本発明の木製間仕切りの気密構造によれば、気密部材の帯状の固着部が、木製の可動建具の表面に形成された位置決め溝に収容、固着され、気密部材の取り付けに際して、作業性及び取付精度が向上し、気密性の優れた木製間仕切りの気密構造を提供することができる。
【０００９】
そして、前記気密部材の当接部が、固着部の一端側から湾曲しながら延設し、端部を自由端に形成するようにすることにより、気密部材が当接箇所と当接するとき、当接箇所に対応して容易に撓み、気密性を保持することができる。
【図面の簡単な説明】
【００１０】
【図１】本発明の木製間仕切りの気密構造を用いた木製間仕切りを示す正面図である。
【図２】同木製間仕切りの気密構造を示す、図１における一部切り欠きのＸ１−Ｘ１断面図である。
【図３】同木製間仕切りの気密構造を示す、図１における一部切り欠きのＸ２−Ｘ２断面図である。
【図４】同木製間仕切りの気密構造を示す、（ａ）は図１における一部切り欠きのＹ−Ｙ断面図、（ｂ）は（ａ）のＺ１部の拡大図、（ｃ）は（ａ）のＺ２部の拡大図、（ｄ）は（ａ）のＺ３部の拡大図である。
【図５】同木製間仕切りの気密構造に用いる気密部材を示し、（ａ）は可動建具の木製枠部材の位置決め溝に収容、固着する気密部材の取り付け前の状態を、（ｂ）は同気密部材を取り付け後に可動建具（引戸扉の戸当たりパッキン）と当接した状態を、（ｃ）は木製の可動建具の位置決め溝に収容、固着した気密部材が、木製の可動建具に収容、固着された気密部材と当接する直前の状態を、（ｄ）は同気密部材が、木製の可動建具に収容、固着された気密部材と当接した状態を示す。
【図６】木製間仕切りの気密構造に用いる気密部材の参考例を示し、（ａ）は木製の可動建具の位置決め溝に収容、固着する気密部材の取り付け前の状態を、（ｂ）は同気密部材を収容、固着した状態を、（ｃ）は同気密部材が、木製の可動建具に収容、固着された気密部材と当接する直前の状態を、（ｄ）は同気密部材が、木製の可動建具に収容、固着された気密部材と当接した状態を示す。
【発明を実施するための形態】
【００１１】
以下、本発明の木製間仕切りの気密構造の実施の形態を、図面に基づいて説明する。
【００１２】
図１〜図５に、本発明の木製間仕切りの気密構造を学校用木製間仕切りに適用した一実施例を示す。
この学校用木製間仕切りは、例えば、室内と廊下とを仕切るために用いられるもので、図１に示すように、出入り口として可動建具１０としての扉（本実施例においては、引戸扉１０Ａ）と、扉の上の無目１５の上面をレールとして可動する可動建具としての障子１０Ｂ（ガラス窓等を嵌めた障子）とを備えた教室の前後（図１では一方のみを図示。）に配備される間仕切りパネルＰ１や、出入り口部分を必要としない箇所に設置される、上方が可動建具１０となる障子１０Ｂと、下方が無目１５と下枠１３Ｂとの間に設けられた羽目板１０Ｃとからなる間仕切りパネルＰ２から構成される。
【００１３】
ここで、上記間仕切りパネルＰ１において、気密構造が適用される箇所は、竪枠１４、１４と可動建具１０となる引戸扉１０Ａ及び可動建具となる障子１０Ｂとの間、上枠１２と障子１０Ｂとの間、無目１５と可動建具１０となる引戸扉１０Ａ及び障子１０Ｂとの間、下枠となるレール１３Ａ（引戸扉用レール）と引戸扉１０Ａとの間に生じる隙間がある。
また、上記間仕切りパネルＰ２において、気密構造が適用される箇所は、可動建具としての障子１０Ｂと竪枠１４、上枠１２、無目１５との間に生じる隙間がある。
【００１４】
以下、本発明の木製間仕切りの気密構造について、間仕切りパネルＰ１を例に説明する。
【００１５】
ところで、間仕切りパネルＰ１に適用される木製間仕切りの気密構造は、その具体的な態様を図２〜図５に示すが、引戸扉１０Ａ及び障子１０Ｂからなる可動建具１０を備えた木製間仕切り１に存在する隙間に、気密部材２を設けて構成されている。
そして、気密部材２は、隙間に面する木製の可動建具１０及び／又は可動建具１０の木製の枠部材１１に、隙間に対して平行に形成した帯状の位置決め溝３に固着するようにしている。
【００１６】
この木製間仕切りの気密構造の構成要素のうち、気密部材２は、位置決め溝３に収容、固着される帯状の固着部２０と、この固着部２０から隙間に向けて延設される当接部２１とを備えて構成されている。
この場合、固着部２０を剛性を有する材料で、当接部２１を可撓性を有する、例えば、ゴム等の弾性材料でそれぞれ構成した複合材とすることができる。また、固着部２０及び当接部２１を共に可撓性を有する材料で構成することもできる。
【００１７】
気密部材２の形状は、当接部２１と対向して隙間を形成する部材に当接する際に、当接部２１が撓んで隙間を完全に塞ぐような形状であればよく、例えば、図５に示すように、気密部材２の当接部２１が、固着部２０の一端側から湾曲しながら延設し、端部２１ａを自由端となるように形成することができる。
これによって、気密部材が当接箇所と当接するとき、当接箇所に対応して容易に撓み、気密性を保持することができる。
また、図６に示す参考例のように、一部を平面視直線状（側面視板状）の固着部２０とし、その他の部分を平面視直線状と曲線状との組み合わせ（側面視板状と曲面状との組み合わせ）となる環状部材から形成することもできる。
さらに、図４（ｂ）及び（ｄ）に示すように、端部のみを当接部２１とした板状に形成することもできる。
【００１８】
また、木製間仕切りの気密構造の構成要素のうち、位置決め溝３は、上述した気密部材２の固着部２０が収容、固着される隙間と平行な帯状の溝部で、本実施例では、図５（ａ）に示すように、固着部２０の巾寸法より若干広い巾寸法となるように構成する。
また、図４（ｂ）に示すように、木製の可動建具１０としての障子１０Ｂの框部分には溝加工を施すことなくＬ字状の溝部形成部材３０を取り付けることで位置決め溝３を構成することもできる。
【００１９】
そして、気密部材２の位置決め溝３への収容、固着の方法は、位置決め溝３に対して、気密部材２の固着部２０を接着剤や両面接着テープ等によって貼り付けたり、図５（ａ）〜図５（ｂ）に示すように、固着部２０を位置決め溝３と取付板２３とによって挟み込むようにして収容し、木ねじ等の締結手段２４により、位置決め溝３に固着する。
また、直接、固着部２０を締結手段２４によって位置決め溝３に固着することもできる。
【００２０】
次に、この木製間仕切りの気密構造の構成の態様について説明する。
なお、上枠１２、下枠１３（可動建具１０となる引戸扉１０Ａのレール１３Ａ）、両竪枠１４及び無目１５を総称して、可動建具１０の枠部材１１という。
【００２１】
この気密構造は、木製の可動建具１０や可動建具１０の木製の枠部材１１の表面に形成した隙間に対して平行に帯状の位置決め溝３に収容、固着した気密部材２の当接部２１を、可動建具１０や可動建具１０の枠部材に当接させて隙間を塞ぎ、室内の気密性を保つもので、気密部材２の当接態様としては、
（１）気密部材２の当接部２１が、隙間を挟んで位置する可動建具１０又は可動建具１０の枠部材１１に当接するように構成する態様。
このように構成することで、気密部材２を、木製の可動建具１０又は可動建具１０の木製の枠部材１１にのみ配設し、可動建具１０又は可動建具１０の枠部材１１との間に生じる隙間を塞ぐことができる。
この態様をさらに詳述すると、
（１−１）気密部材２を、可動建具１０の木製の枠部材１１にのみ配設し、気密部材２の当接部２１と可動建具１０とが当接する態様（図２の気密構造Ａ１参照）。
（１−２）気密部材２を、木製の可動建具１０にのみ配設し、気密部材２の当接部２１と可動建具１０の木製の枠部材１１とが当接する態様（図４の気密構造Ａ３参照）。気密部材２を木製の可動建具１０にのみ配設し、気密部材２の当接部２１と可動建具１０とが当接する態様（図示省略）。
を挙げることができる。
【００２２】
さらに、別の態様としては、
（２）気密部材２の当接部２１が、隙間を挟んで位置する木製の可動建具１０又は可動建具１０の木製の枠部材１１に形成した位置決め溝３に固着部２０を収容、固着した気密部材２の当接部２１に当接するように構成する態様。
このように構成することで、気密部材２を、木製の可動建具１０又は可動建具１０の木製の枠部材１１と対応する可動建具１０又は可動建具１０の枠部材１１の両方に配設し、気密部材同士を当接させることで、より確実に、木製の可動建具又は可動建具の木製の枠部材との間に生じる隙間を塞ぐことができる。
この態様をさらに詳述すると、
（２−１）気密部材２を、木製の可動建具１０同士が重なり合っている部分、所謂、召し合わせ部分の対向する箇所の両方に配設し、気密部材２の当接部２１同士が当接する態様（図２及び図３の気密構造Ａ２参照）。
（２−２）気密部材２を、木製の可動建具１０と可動建具１０の木製の枠部材１１の両方に配設し、気密部材２の当接部２１同士が当接する態様（図示省略）。
を挙げることができる。
【００２３】
一般に、可動建具１０を備えた木製間仕切り１に存在する隙間のうち、水平方向に生じる隙間、換言すると、可動建具１０の移動によって大きさが変化しない隙間に配設される気密部材２は、図４に示すように、位置決め溝３に収容、固着された気密部材２の固着部２０から延設される当接部２１が、常時対向する可動建具の枠部材に当接した状態にある（図４の気密構造Ａ３参照）。
そのため、この隙間からは可動建具１０の可動によって隙間が広がることが少なく、気密性は十分に保持されることから、気密構造の態様として、（１−２）の態様を採用する。
（１−２）の態様としての気密構造Ａ３は、図４に示すように、可動建具１０として、引戸扉１０Ａの場合は、表面化粧板の上辺と下辺に切り欠き部を設け、障子１０Ｂの場合は、上框及び下框に溝部を形成したり、溝部を形成することなくＬ字状の溝部形成部材３０を配設（切り欠き部にこの溝部形成部材３０をさらに配設することもできる。）したりすることで位置決め溝３を形成し、この位置決め溝３に気密部材２を収容、固着する。
【００２４】
一方、可動建具１０を備えた木製間仕切り１に存在する隙間のうち、垂直方向に生じる隙間、換言すると、可動建具１０の移動によって大きさが変化する隙間に配設される気密部材２は、可動建具１０が閉鎖位置にあるときに確実にその隙間を塞ぐ必要があることから、気密構造の態様として、（１−１）及び（２−１）の態様を採用する。
（１−１）の態様としての気密構造Ａ１は、図２及び図３に示すように、気密部材２を、可動建具１０の木製の枠部材１１にのみ配設するものであるが、可動建具１０としての引戸扉１０Ａ及び障子１０Ｂの可動建具１０の木製の枠部材１１と当接する部分には、弾性部材からなる戸当たりパッキンＰが配設されており、気密部材２の当接部２１と当接することで十分な気密性が確保されるようになっている。
（２−１）の態様である気密構造Ａ２は、図３及び図６に示すように、気密部材２を、木製の可動建具１０同士が重なり合っている部分、所謂、召し合わせ部分の対向する箇所の両方に配設し、可動建具１０が閉鎖位置にあるときに、当接部２１同士が当接し、当接した当接部２１が共に又は一方が撓んで隙間を塞ぎ、室内の気密性を十分に確保することができる。
【００２５】
以上、本発明の木製間仕切りの気密構造について、その実施例に基づいて説明したが、本発明は上記実施例に記載した構成に限定されるものではなく、その趣旨を逸脱しない範囲において適宜その構成を変更することができるものである。
【産業上の利用可能性】
【００２６】
本発明の木製間仕切りの気密構造は、可動建具を有する木製間仕切りの気密性を向上することができるという特性を有していることから、学校用の木製間仕切りのほか、広く木製間仕切りに存在する隙間を塞ぐための気密構造として好適に用いることができる。
【符号の説明】
【００２７】
Ａ１、Ａ２、Ａ３  気密構造
１    木製間仕切り
１０  可動建具
１１  枠部材
２    気密部材
２０  固着部
２１  当接部
２１ａ  端部
３    位置決め溝
【図１】
0005912633.tif 000002
【図２】
0005912633.tif 000003
【図３】
0005912633.tif 000004
【図４】
0005912633.tif 000005
【図５】
0005912633.tif 000006
【図６】
0005912633.tif 000007